(57)【要約】【課題】洋酒，日本酒またはジュース等が入っている瓶を、配送時等の衝撃から十分に保護できる箱体を提供することを目的とする。【解決手段】本考案に係る箱体１は、開閉可能な蓋を有する四角筒状の有底の箱本体３と、箱本体３の底に配置されている所定の厚みを有する底部緩衝材５と、箱本体の内周に面接触して配置されている多重構造の側部緩衝材７を備えている。底部緩衝材５は、蓋側から見て多角形を隙間なく並べたハニカム構造であり、側部緩衝材７は、１枚の長いシートを長手方向に複数回折り曲げた四角筒体である多重構造の緩衝材である。【選択図】図２
0003187188.tif 000002
【実用新案登録請求の範囲】
【請求項１】
開閉可能な蓋を有する四角筒状の有底の箱本体と、箱本体の底に配置されている所定の厚みを有する底部緩衝材と、箱本体の内周に面接触して配置されている多重構造の側部緩衝材を備えている事を特徴とする箱体。
【請求項２】
底部緩衝材は、蓋側から見て多角形を隙間なく並べたハニカム構造である事を特徴とする請求項１に記載の箱体。
【請求項３】
側部緩衝材は、１枚の長いシートを長手方向に複数回折り曲げた四角筒体である２重構造または３重構造の緩衝材である事を特徴とする請求項１または請求項２に記載の箱体。
【請求項４】
側部緩衝材は、シートの長手方向の一端部の短辺の両側に２つの凸部が設けられ、シートの長手方向の他端部の短辺の中央に１つの凸部が設けられ、両側に設けられた２つの凸部は四角筒体であるときに一端部の短辺に対応する角部に設けられた２つの孔にシートの内側から外側に向けて挿入され、中央に設けられた１つの凸部は四角筒体であるときに他端部の短辺に対応する角部に設けられた１つの孔にシートの外側から内側に向けて挿入され構成されている事を特徴とする請求項１乃至請求項３のいずれか１項に記載の箱体。
【請求項５】
箱体の底に配置されている底緩衝材の上に、複数の側部緩衝材が面接触して並んで配置されている事を特徴とする請求項１乃至請求項４のいずれか１項に記載の箱体。
【請求項６】
開閉可能な蓋を有する四角筒状の有底の箱本体と、箱本体の底に配置されている所定の厚みを有する底部緩衝材と、箱本体の内周に面接触して配置されている多重構造の側部緩衝材を備え、
底部緩衝材は、蓋側から見て多角形を隙間なく並べたハニカム構造であり、
側部緩衝材は、１枚の長いシートを長手方向に７回または１１回折り曲げた四角筒体である２重構造または３重構造の多重構造の緩衝材であり、この多重構造は、シートの長手方向の一端部の短辺の両側に２つの凸部が設けられ、シートの長手方向の他端部の短辺の中央に１つの凸部が設けられ、両側に設けられた２つの凸部は四角筒体であるときに一端部の短辺に対応する角部に設けられた２つの孔にシートの内側から外側に向けて挿入され、中央に設けられた１つの凸部は四角筒体であるときに他端部の短辺に対応する角部に設けられた１つの孔にシートの外側から内側に向けて挿入され構成されている事を特徴とする瓶を収納する箱体。
【請求項７】
箱体の底に配置されている底緩衝材の上に、瓶の本数と同じ数の側部緩衝材が面接触して並んで配置されている事を特徴とする請求項６に記載の箱体。
【考案の詳細な説明】
【技術分野】
【０００１】
本考案は、洋酒，日本酒またはジュース等が入っている瓶を、配送時等の衝撃から十分に保護できる、箱体に関するものである。
【背景技術】
【０００２】
現在、洋酒，日本酒またはジュース等が入っている瓶が、配送時等に割れないように、種々の衝撃から保護することが提案されている。例えば、通常では、瓶が動かないように箱体内で固定するために、特許文献１に示すように、箱本体に瓶を固定するための１枚の厚紙を適宜に折り曲げて保護部材を形成し、挿入している箱体が提案されている。この厚紙を使用した瓶の保護部材は、箱の中で瓶が動いたり、揺れたりすることを防止できる。
【先行技術文献】
【特許文献】
【０００３】
【特許文献１】特開平９−１３２２３２号公報
【考案の概要】
【考案が解決しようとする課題】
【０００４】
しかし、１枚の保護部材で構成された底部と側部とその箱本体のみでは、外部からの衝撃に対しては、緩衝吸収能力が高いとはいえず、衝撃の大きさによっては、瓶が割れてしまうことも十分にあり得る。そして、衝撃吸収能力を上げるために、瓶の底面及び側面の厚さを増して強度を上げることは可能であるが、瓶自体の重量が増すので好ましくない。そのため、衝撃吸収能力を向上した箱体が望まれている。
【０００５】
本考案は、洋酒，日本酒またはジュース等が入っている瓶を、配送時等の衝撃から十分に保護できる箱体を提供することを目的とする。
【課題を解決するための手段】
【０００６】
上記課題を解決するために、請求項１に記載の箱体に係る考案は、例えば、図１〜図３，図６，図１０に示すように、開閉可能な蓋を有する四角筒状の有底の箱本体と、箱本体の底に配置されている所定の厚みを有する底部緩衝材と、箱本体の内周に面接触して配置されている多重構造の側部緩衝材を備えている事を特徴とする。
【０００７】
請求項１に記載の箱体に係る考案によれば、箱本体の底に配置されている所定の厚みを有する底部緩衝材を備えるので、緩衝吸収能力を増して瓶の底部を衝撃から十分に保護することができ、かつ、箱本体の内周に面接触して配置されている多重構造の側部緩衝材を備えるので、緩衝吸収能力を増して瓶の側部を衝撃から十分に保護することができる。
【０００８】
請求項２に記載の箱体に係る考案は、例えば、図２，図４，図６，図１０に示すように、底部緩衝材は、蓋側から見て多角形を隙間なく並べたハニカム構造を備えている事を特徴とする。
【０００９】
請求項２に記載の箱体に係る考案によれば、蓋側から見て多角形を隙間なく並べたハニカム構造を備えているので、強度を損なわずに重量を減らし、瓶を衝撃から十分に保護することができる。
【００１０】
請求項３に記載の箱体に係る考案は、例えば、図５（ａ）〜図５（ｅ）に示すように、側部緩衝材は、１枚の長いシートを長手方向に複数回折り曲げた四角筒体である多重構造の緩衝材である事を特徴とする。
【００１１】
請求項３に記載の箱体に係る考案によれば、１枚の長いシートを長手方向に複数回折り曲げた四角筒体であるので、緩衝材として用意する部材が少なくて済み、多重構造の緩衝材とすることができるので、箱体側部の衝撃吸収能力を向上することができる。また、１枚の長いシートを長手方向に複数回折り曲げた四角筒体、言い換えると、シームレスな多重構造の四角筒体であるため、非常に堅牢で側方から強い衝撃を受けた際にも四角筒体の形状を保持し、箱内の瓶を保護できる。
【００１２】
請求項４に記載の箱体に係る考案は、例えば、図５（ａ）〜図５（ｅ）に示すように、側部緩衝材は、シートの長手方向の一端部の短辺の両側に２つの凸部が設けられ、シートの長手方向の他端部の短辺の中央に１つの凸部が設けられ、両側に設けられた２つの凸部は四角筒体であるときに一端部の短辺に対応する角部に設けられた２つの孔にシートの内側から外側に向けて挿入され、中央に設けられた１つの凸部は四角筒体であるときに他端部の短辺に対応する角部に設けられた１つの孔にシートの外側から内側に向けて挿入され構成されている事を特徴とする。
【００１３】
請求項４に記載の箱体に係る考案によれば、シートの長手方向の一端部の短辺の両側に２つの凸部が設けられ、両側に設けられた２つの凸部は四角筒体であるときに一端部の短辺に対応する角部に設けられた２つの孔にシートの内側から外側に向けて挿入されることができるので、多重構造の側部緩衝材の内側の四角筒体を容易に形成できる。さらに、シートの長手方向の他端部の短辺の中央に１つの凸部が設けられ、中央に設けられた１つの凸部は四角筒体であるときに他端部の短辺に対応する角部に設けられた１つの孔にシートの外側から内側に向けて挿入されることができるので、多重構造の側部緩衝材の外側の四角筒体を容易に形成できる。
【００１４】
請求項５に記載の箱体に係る考案は、例えば、図１０に示すように、箱体の底に配置されている底緩衝材の上に、複数の側部緩衝材が面接触して並んで配置されている事を特徴とする。
【００１５】
請求項５に記載の箱体に係る考案によれば、箱体の底に配置されている底緩衝材の上に、複数の側部緩衝材が面接触して並んで配置されているので、瓶の本数に応じた側部緩衝材を用意することにより複数本用の箱体を用意することができる。
【００１６】
請求項６に記載の箱体に係る考案は、例えば、図１〜図５に示すように、開閉可能な蓋を有する四角筒状の有底の箱本体と、箱本体の底に配置されている所定の厚みを有する底部緩衝材と、箱本体の内周に面接触して配置されている多重構造の側部緩衝材を備え、
底部緩衝材は、蓋側から見て多角形を隙間なく並べたハニカム構造であり、
側部緩衝材は、１枚の長いシートを長手方向に複数回折り曲げた四角筒体である多重構造の緩衝材であり、この多重構造は、シートの長手方向の一端部の短辺の両側に２つの凸部が設けられ、シートの長手方向の他端部の短辺の中央に１つの凸部が設けられ、両側に設けられた２つの凸部は四角筒体であるときに一端部の短辺に対応する角部に設けられた２つの孔にシートの内側から外側に向けて挿入され、中央に設けられた１つの凸部は四角筒体であるときに他端部の短辺に対応する角部に設けられた１つの孔にシートの外側から内側に向けて挿入され構成されている事を特徴とする。
【００１７】
請求項６に記載の箱体に係る考案によれば、箱本体の底に配置されている所定の厚みを有する底部緩衝材を備えるので、緩衝吸収能力を増して瓶の底部を衝撃から十分に保護することができ、かつ、箱本体の内周に面接触して配置されている多重構造の側部緩衝材を備えるので、緩衝吸収能力を増して瓶の側部を衝撃から十分に保護することができる。
また、蓋側から見て多角形を隙間なく並べたハニカム構造を備えているので、強度を損なわずに重量を減らし、瓶を衝撃から十分に保護することができる。
さらに、１枚の長いシートを長手方向に複数回折り曲げた四角筒体であることから、緩衝材として用意する部材が少なくて済み、多重構造の緩衝材とすることができるので、箱体側部の衝撃吸収能力を向上することができる。また、１枚の長いシートを長手方向に複数回折り曲げた四角筒体、言い換えると、シームレスな多重構造の四角筒体であるため、非常に堅牢で側方から強い衝撃を受けた際にも四角筒体の形状を保持し、箱内の瓶を保護できる。
また、シートの長手方向の一端部の短辺の両側に２つの凸部が設けられ、両側に設けられた２つの凸部は四角筒体であるときに一端部の短辺に対応する角部に設けられた２つの孔にシートの内側から外側に向けて挿入されることができるので、多重構造の側部緩衝材の内側の四角筒体を容易に形成できる。さらに、シートの長手方向の他端部の短辺の中央に１つの凸部が設けられ、中央に設けられた１つの凸部は四角筒体であるときに他端部の短辺に対応する角部に設けられた１つの孔にシートの外側から内側に向けて挿入されることができるので、多重構造の側部緩衝材の外側の四角筒体を容易に形成できる。
【００１８】
請求項７に記載の箱体に係る考案は、例えば、図１０に示すように、箱体の底に配置されている底緩衝材の上に、瓶の本数と同じ数の側部緩衝材が面接触して並んで配置されている事を特徴とする。
【００１９】
請求項７に記載の箱体に係る考案によれば、箱体の底に配置されている底緩衝材の上に、瓶の本数と同じ数の側部緩衝材が面接触して並んで配置されているので、瓶の本数に応じた側部緩衝材を用意することにより、各瓶ごとに側部緩衝材で保護することができる箱体を用意することができる。
【考案の効果】
【００２０】
本考案によれば、洋酒，日本酒またはジュース等が入っている瓶を、配送時等の衝撃から十分に保護できる箱体を提供することができる。
【図面の簡単な説明】
【００２１】
【図１】本考案に係る箱体の一例を示す斜視図である。
【図２】本考案に係る箱体の分解斜視図である。
【図３】本考案に係る箱体の一例を示す斜視図である。
【図４】本考案に係る底部緩衝材の一例を示す斜視図である。
【図５】本考案に係る側部緩衝材の組み立て例を示す図である。
【図６】本考案に係る箱体を上方から見た図である。
【図７】本考案に係る箱体の使用例を示す部分斜視図である。
【図８】本考案に係る箱体の他の使用例を示す部分斜視図である。
【図９】本考案に係る箱体に持ち手を付けた例を示す斜視図である。
【図１０】本考案に係る箱体の変形例を上方から見た図である。
【図１１】本考案に係る箱体の変形例に持ち手を付けた例を示す斜視図である。
【図１２】（ａ）は本発明に係る側部緩衝材内に裸瓶を入れた例を示す斜視図であり、（ｂ）は本発明に係る側部緩衝材内に箱入瓶を入れた例を示す斜視図である。
【図１３】（ａ）は裸瓶が入っている本発明に係る側部緩衝材を上下に２つ並べて落下させた例を示す模式図であり、（ｂ）は裸瓶が入っている比較例の側部緩衝材を上下に２つ並べて落下させた例を示す模式図である。
【考案を実施するための形態】
【００２２】
以下、図面を参照して本考案の実施の形態について説明する。
【００２３】
＜実施の形態＞
図１〜図７は、本考案に係る箱体１の実施の形態を示す。本考案に係る箱体１は、開閉可能な蓋を有する四角筒状の有底の箱本体３と、箱本体３の底に配置されている所定の厚み（例えば、１ｃｍ）を有する底部緩衝材５と、箱本体３の内周に面接触して配置されている２重構造の側部緩衝材７を備えている。
【００２４】
図１〜図３に示すように、箱本体３は、厚紙で形成されたものであり、収容部本体３ａ，収容部本体３ａの上端に設けられた主蓋部３ｂ，内蓋部３ｃ，側蓋部３ｄ，３ｄ，差込み部３ｅ及び底部３ｆとから構成される。この箱体１、収容本体部３ａは、１本の瓶が収納可能な容積を有している。この収容部本体３ａは、側部緩衝材７の厚みを考慮して、瓶の標準サイズに合わせて形成されており、一升瓶，１．８リットル瓶，大瓶，中瓶，小瓶等，種々のサイズに合わせて形成される。
【００２５】
主蓋部３ｂは、図１，図２に示すように、主蓋板３ｂ１，差込み部３ｂ２，差込み孔３ｂ３から形成されている。そして、主蓋板３ｂ１の端縁に差込み部３ｂ２が折曲げ部として設けられ、この折り曲げ部に差込み部３ｅの先端が挿入される差し込み孔３ｂ３が形成されている。
【００２６】
内蓋部３ｃは、図２に示すように、内蓋主板部３ｃ１，側面折曲部３ｃ２から形成されている。そして、内蓋主板部３ｃ１のほぼ中央には瓶の頭部を挿入する孔３ｃ３が設けられている。内蓋主板部３ｃ１には、半円状の引出し用孔３ｃ４が形成され、この引出し用孔３ｃ４に指を差し込みながら、その内蓋部３ｃを開くことができる。
【００２７】
そして、収容部本体３ａの底には、図４に示すような、上側（蓋側）から見て台形を隙間なく並べたハニカム構造の底部緩衝材５が配置されている。また、収容部本体３ａの内部の４つの内側面には、図５（ａ）〜図５（ｅ）に示すような１枚の長いシートを長手方向に複数回折り曲げた四角筒体である２重構造の緩衝材である側部緩衝材７が配置されている。
【００２８】
側部緩衝材７には、シートの長手方向の一端部の短辺の両側に２つの凸部７ａが設けられ、シートの長手方向の他端部の短辺の中央に１つの凸部７ｂが設けられている。そして、両側に設けられた２つの凸部７ａは四角筒体であるときに一端部の短辺に対応する角部に設けられた２つの孔７ａ１にシートの内側から外側に向けて挿入され、中央に設けられた１つの凸部７ｂは四角筒体であるときに他端部の短辺に対応する角部に設けられた１つの孔７ｂ１にシートの外側から内側に向けて挿入されている。
【００２９】
側部緩衝材７は、図５（ａ）に示すような展開した状態から複数回折り曲げて構成されている。まず、２つの凸部７ａの一端部側から３回折り曲げて、２つの凸部７ａを一端部の短辺に対応する角部に設けられた２つの孔７ａ１にシートの内側から外側に向けて挿入される（図５（ｂ））。次に、１つの凸部７ｂの他端部側から４回折り曲げて、１つの凸部７ｂを他端部の短辺に対応する角部に設けられた１つの孔７ｂ１にシートの外側から内側に向けて挿入される（図５（ｃ）から図５（ｄ））。側部緩衝材７には、ダンボール等の厚紙が使用されている。
【００３０】
図２に示すように、箱体１は、収容部本体３ａの上部開口から底部緩衝材５を入れ、その後に上部開口から側部緩衝材７を入れて構成することができるので、組み立てが簡単である。図７は箱体１に瓶を入れて、内蓋部３ｃを収容部本体３ａに収めた状態を示している。この状態から、側蓋部３ｄ，３ｄを収容部本体３ａの内側に折り曲げて、その後、主蓋部３ｂを折り曲げ、差込み部３ｂ２を収容部本体３ａに差込み、差込み孔３ｂ３に差込み部３ｅを差し込んで蓋が閉じられる。試験として、本発明の箱体１に瓶を入れて１．５ｍの高さから落下させたところ、瓶が割れなかった。
【００３１】
また、図９に示すように、箱体１の側面に持ち手９ａを設けることにより、持ちやすい箱体１とすることができる。そのため、箱体１が落としにくくなり、瓶が割れる恐れが減少する。
【００３２】
＜変形例１＞
上記実施の形態においては、上側（蓋側）から見て台形のハニカム構造について説明した。しかし、これに限られず、三角形、正三角形、四角形、正四角形、六角形、正六角形等であってもよい。台形でなくても、三角柱，四角柱，六角柱等の立体図形を隙間なく並べたハニカム構造であれば、瓶を十分に保護することができる。
【００３３】
＜変形例２＞
上記実施の形態においては、一枚のシートを７回折り曲げた２重構造の側部緩衝材７ついて説明した。しかし、これに限られず、一枚のシートを１１回折り曲げた３重構造の側部緩衝材を使用してもよい。この場合は、２重構造の側部緩衝材よりさらに４面（１重）分長い緩衝材を使用し、中央の１つの凸部７ｂから４つ目の折り目の中央に１つの孔７ｂ１を設けることにより、３重構造の側部緩衝材を提供することができる。
【００３４】
＜変形例３＞
上記実施の形態においては、箱体１に瓶を直接入れて、蓋を閉める例について説明した。しかし、これに限られず、図８に示すように、瓶の入った箱入瓶１０をそのまま箱体１に入れてもよい。この場合は、内蓋部３ｃを切り取ることにより、瓶の入った箱入瓶１０をそのまま箱体１に入れて蓋を閉めることができる。また、図１２（ａ）及び図１２（ｂ）に示すように、底部緩衝材５上に配置されている側部緩衝材７は四角筒体であるため、側部緩衝材７を裸瓶８及び箱入瓶１０のいずれにも兼用して使用できる。
【００３５】
＜変形例４＞
上記実施の形態においては、１つの底部緩衝材５上に１つの側部緩衝材７を配置する例について説明した。しかし、これに限られず、図１０に示すように、１つの底部緩衝材５ａ上に２つの側部緩衝材７を面接触して並んで配置した箱体１ａとしてもよい。
【００３６】
なお、図１０に示す例においても、２つの底部緩衝材上に２つの側部緩衝材７をそれぞれ並べて配置しても、衝撃から瓶を十分に保護することができる。また、図１１に示すように、上部に持ち手９ｂを設けることにより、持ちやすい箱体とすることができる。そのため、箱体１ａを落としにくくなり、瓶が割れる恐れが減少する。
【００３７】
さらに、図１３（ａ）に示すように、シームレスな多重構造の四角筒体であるため、非常に堅牢で側方から強い衝撃を受けた際にも四角筒体の形状を保持し、箱内の裸瓶８を保護できる。上下に裸瓶８を入れて落下させた場合にも側部緩衝材７の四角筒体の形状を保持することができ、裸瓶を保護することができる。これに対して、図１３（ｂ）に示す比較例では、四角筒体の側部緩衝材１０７ａとその内側に裸瓶８を囲むように複数の側部緩衝材１０７ｂ〜１０７ｅが別体として配置されている。
【００３８】
図１３（ｂ）の側部緩衝材１０７ａ〜１０７ｅは、２重四角筒体であるが、外面と内面の側部緩衝材１０７ａ〜１０７ｅがつながっておらず、かつ内面同士の側部緩衝材１０７ｂ〜１０７ｅもつながっていない。そのため、側方から強い衝撃を受けると、下方の側部緩衝材１０７ａが撓んでしまい、四角筒体の形状を保持できなくなる。これに伴って、上下に配置された下方の裸瓶８が割れてしまう。上述の本発明の効果は、複数本用の箱体内の側部緩衝材７を上下に配置して落下させた際に顕著となる。
【符号の説明】
【００３９】
１…箱体
３…箱本体
５…底部緩衝材
７…側部緩衝材
９ａ，９ｂ…持ち手
【図１】
0003187188.tif 000003
【図２】
0003187188.tif 000004
【図３】
0003187188.tif 000005
【図４】
0003187188.tif 000006
【図５】
0003187188.tif 000007
【図６】
0003187188.tif 000008
【図７】
0003187188.tif 000009
【図８】
0003187188.tif 000010
【図９】
0003187188.tif 000011
【図１０】
0003187188.tif 000012
【図１１】
0003187188.tif 000013
【図１２】
0003187188.tif 000014
【図１３】
0003187188.tif 000015